(57)【特許請求の範囲】
【請求項１】
上面に複数の固定接点を植設した端子板と、内壁上面にハートカム溝を有し端子板上面を覆う下面開放の箱形のケースと、ケース内に前後動可能に収納されたスライダーと、スライダーを前方に付勢する操作用ばねと、一端がスライダー上面に回動可能に保持され他端がハートカム溝に当接したストッパと、スライダー下面に保持され、スライダーの摺動によって端子板上面を弾接摺動して固定接点と接離する可動接点部を有すると共に、ストッパをハートカム溝に押し付けるアーム状の板ばね部を備えた弾性金属薄板製の接触片からなり、上記接触片の板ばね部を上記スライダー上面の孔に保持された上記ストッパの上記スライダー下面に突出した折曲部に弾接することにより、上記スライダーに上記接触片とストッパを組込んだ際、上記ストッパをスライダーに仮保持するようにしたプッシュスイッチ。
【請求項２】
ハートカム溝を端子板上面に設け、ストッパの一端をスライダー下面に回動可能に保持すると共に他端を端子板のハートカム溝に当接するようにした請求項１記載のプッシュスイッチ。
【発明の詳細な説明】
【０００１】
【発明の属する技術分野】
本発明は各種電子機器に使用され、押圧操作毎に操作部のロックとロック解除を繰返して動作するプッシュスイッチに関するものである。
【０００２】
【従来の技術】
従来のこの種のプッシュスイッチについて、図７〜図９を用いて説明する。
【０００３】
図７は従来のプッシュスイッチの断面図、図８は同分解斜視図であり、同図において、１は上面に複数の固定接点２を植設した端子板、３は端子板１の上面を覆い内壁上面にハートカム溝４を有する下面開放の箱形のケースで、端子板１とケース３は側面の凸部と凹部によってワンタッチ装着され、ケース３内には前端につまみ５を装着したスライダー６が前後に摺動可能に収納され、スライダー６の後端とケース３の内壁側面の間には操作用ばね７がやや撓んだ状態で装着されている。
【０００４】
そして、８は一端の折曲部８Ａがスライダー６上面の保持孔６Ａに回動可能に保持され、他端の先端部８Ｂがケース３のハートカム溝４に当接したクランク状のストッパで、スライダー６上面の収納孔６Ｂに撓んだ状態で収納された押圧用ばね９がストッパ８の中間部８Ｃを押圧して、先端部８Ｂをハートカム溝４に押し付けている。
【０００５】
また、１０はアーム状の可動接点部１０Ａが端子板１上面に弾接した弾性金属薄板製の接触片で、取付孔１０Ｂをスライダー６下面の突起部６Ｃに嵌め込んだ後、突起部６Ｃがかしめられて、スライダー６下面に保持されている。
【０００６】
このように構成された従来のプッシュスイッチの動作について説明すると、まず、スライダー６の前端に装着したつまみ５を後方へ押圧操作すると、図９に示すように、スライダー６が操作用ばね７を撓ませながら後方へ摺動するのに伴って、スライダー６下面に保持された接触片１０の可動接点部１０Ａが端子板１上面を弾接摺動して固定接点２と接触し、接触片１０を介した固定接点２の電気的接続が行われる。
【０００７】
またこの時、押圧用ばね９に中間部８Ｃを上方に付勢されたストッパ８の先端部８Ｂが、ケース３のハートカム溝４内を弾接摺動してハートカム溝４の段部にロックされることによって、スライダー６が後方へ移動したままロックされ、つまみ５がロック状態となる。
【０００８】
そして、再びスライダー６の前端に装着したつまみ５を後方へ押圧操作すると、スライダー６がさらに少し後方へ摺動するのに伴って、ストッパ８の先端部８Ｂとハートカム溝４のロックが解除され、操作用ばね７の弾性復帰力によってスライダー６が前方へ摺動し、接触片１０の可動接点部１０Ａも固定接点２から離れ、図７の元の状態に復帰するものであった。
【０００９】
【発明が解決しようとする課題】
しかしながら上記従来のプッシュスイッチにおいては、ストッパ８の先端部８Ｂをケース３のハートカム溝４に付勢するために押圧用ばね９が必要であり、また、上面にこれらストッパ８や押圧用ばね９を装着したスライダー６をケース３に組込む際に、ストッパ８や押圧用ばね９が外れ易いため、スイッチの組立て作業に時間を要すると共に、自動組立化も図りづらいという課題があった。
【００１０】
本発明はこのような従来の課題を解決するものであり、使用部品数を削減すると共に、スイッチ組立て作業が容易で安価なプッシュスイッチを提供することを目的とするものである。
【００１１】
【課題を解決するための手段】
上記課題を解決するために本発明のプッシュスイッチは、スライダー下面に保持される弾性金属薄板製の接触片に、ストッパをハートカム溝に押し付けるアーム状の板ばね部を一体に設け、この板ばね部の弾性力によってストッパをハートカム溝に弾接させるように構成したものである。
【００１２】
この本発明により、使用部品数が少なくスイッチ組立て作業が容易で安価なプッシュスイッチを得ることができる。
【００１３】
【発明の実施の形態】
本発明の請求項１に記載の発明は、上面に複数の固定接点を植設した端子板と、内壁上面にハートカム溝を有し端子板上面を覆う下面開放の箱形のケースと、ケース内に前後動可能に収納されたスライダーと、スライダーを前方に付勢する操作用ばねと、一端がスライダー上面に回動可能に保持され他端がハートカム溝に当接したストッパと、スライダー下面に保持され、スライダーの摺動によって端子板上面を弾接摺動して固定接点と接離する可動接点部を有すると共に、ストッパをハートカム溝に押し付けるアーム状の板ばね部を備えた弾性金属薄板製の接触片からなり、上記接触片の板ばね部を上記スライダー上面の孔に保持された上記ストッパの上記スライダー下面に突出した折曲部に弾接することにより、上記スライダーに上記接触片とストッパを組込んだ際、上記ストッパをスライダーに仮保持するようにしたプッシュスイッチとしたもので、スライダー下面に保持された接触片にアーム状の板ばね部を一体に設け、この板ばね部によってストッパをハートカム溝に弾接させているため、ストッパをハートカム溝に押し付けるための別体のばねが不要になり使用部品数を削減することができると共に、スライダー上面に装着する部品がストッパだけになるため、スイッチの組立て作業が容易で安価なプッシュスイッチを得ることができるという作用を有する。
さらに、スライダーに接触片とストッパを組込んだ際、スライダー上面の孔に保持されたストッパの折曲部に接触片の板ばね部が弾接し、ストッパをスライダーに仮保持することができるため、ストッパがスライダーから外れることを防止できスイッチの組立て作業が容易になるという作用を有する。
【００１５】
請求項２に記載の発明は、請求項１記載の発明において、ハートカム溝を端子板上面に設け、ストッパの一端をスライダー下面に回動可能に保持すると共に他端を端子板のハートカム溝に当接するようにした構成のもので、ストッパと接触片の両方をスライダー下面に装着保持しているため、ケースをベースとしてその上にスライダーや端子板を順次積上げて組立てることが可能となり、容易にスイッチの自動組立化を図ることができるという作用を有する。
【００１６】
以下、本発明の実施の形態について図１〜図６を用いて説明する。
なお、従来の技術の項で説明した構成と同一構成の部分には同一符号を付し、その詳細な説明を省略する。
【００１７】
（実施の形態１）
図１は本発明の第１の実施の形態によるプッシュスイッチの断面図、図２は同分解斜視図であり、同図において、内壁上面にハートカム溝４を有したケース３内にスライダー１２が摺動可能に収納され、このスライダー１２上面の保持孔１２Ａにストッパ８の一端の折曲部８Ａが回動可能に保持され、スライダー１２下面に保持された接触片１３の可動接点部１３Ａが端子板１の上面に弾接していることは従来の技術と同様であるが、接触片１３には可動接点部１３Ａに加え上方に折曲したアーム状の板ばね部１３Ｂが設けられ、この板ばね部１３Ｂがスライダー１２の収納孔１２Ｂを通り、ストッパ８の中間部８Ｃに弾接して、先端部８Ｂをハートカム溝４に押し付けている。
【００１８】
このように構成された本実施の形態のプッシュスイッチは、スライダー１２の前端に装着したつまみ５を後方へ押圧操作すると、図３に示すように、スライダー１２が操作用ばね７を撓ませながら後方へ摺動するのに伴って、スライダー１２下面に保持された接触片１３の可動接点部１３Ａが端子板１上面を弾接摺動して固定接点２との電気的接続を行うことは従来の技術と同様であるが、ストッパ８は接触片１３の板ばね部１３Ｂに中間部８Ｃを押圧されて、先端部８Ｂがケース３のハートカム溝４内を弾接摺動し、つまみ５のロックやロック解除が行われる。
【００１９】
このように本実施の形態によれば、スライダー１２下面に保持された接触片１３にアーム状の板ばね部１３Ｂを一体に設け、この板ばね部１３Ｂによってストッパ８をハートカム溝４に弾接させているため、ストッパ８をハートカム溝４に押し付けるための別体のばねが不要になり使用部品数を削減することができると共に、スライダー１２上面に装着される部品がストッパ８だけになるため、スイッチの組立て作業が容易となり、安価なプッシュスイッチを得ることができる。
【００２０】
また、上記の説明では、接触片１３の板ばね部１３Ｂをストッパ８の中間部８Ｃに弾接させた場合について説明したが、図４に示すように、スライダー１２のストッパ８を保持する保持孔１２Ａの下面に、接触片１３の板ばね部１３Ｃを収納するための収納孔１２Ｃを設け、接触片１３の板ばね部１３Ｃをストッパ８の折曲部８Ａに弾接させて、先端部８Ｂをハートカム溝４に押し付ける構成とすることにより、スライダー１２に接触片１３とストッパ８を組込んだ際、スライダー１２に保持されたストッパ８の折曲部８Ａに接触片１３の板ばね部１３Ｃが弾接し、ストッパ８をスライダー１２に仮保持することができるため、ストッパ８がスライダー１２から外れることを防止でき、スイッチの組立て作業をより容易なものとすることができる。
【００２１】
（実施の形態２）
図５は本発明の第２の実施の形態によるプッシュスイッチの断面図、図６は同分解斜視図であり、同図において、ケース３内にスライダー１２が摺動可能に収納され、スライダー１２下面に保持された接触片１３の可動接点部１３Ａが端子板１上面に弾接していることは実施の形態１と同様であるが、ハートカム溝４は端子板１上面に設けられ、ストッパ８の一端の折曲部８Ａはスライダー１２下面の保持孔１２Ａに回動可能に保持されている。
【００２２】
そして、接触片１３には可動接点部１３Ａと共に板ばね部１３Ｄが設けられ、この板ばね部１３Ｄがストッパ８の中間部８Ｃに弾接して、先端部８Ｂを端子板１のハートカム溝４に押し付けている。
【００２３】
このような構成にすることによって、スライダー１２の前端に装着したつまみ５を押圧操作すると、スライダー１２の摺動に伴って、接触片１３の板ばね部１３Ｄに中間部８Ｃを押圧されたストッパ８の先端部８Ｂが、端子板１のハートカム溝４内を弾接摺動し、つまみ５のロックやロック解除が行われる。
【００２４】
このように本実施の形態によれば、ストッパ８と接触片１３の両方をスライダー１２下面に装着保持しているため、下面開放部を上向きにしたケース３をベースとして、これにストッパ８と接触片１３の装着面を上向きにしたスライダー１２を収納した後、端子板１をケース３にワンタッチ装着するというように、順次各部品を積上げて組立てることが可能となり、極めて容易にスイッチの自動組立化を図ることができるものである。
【００２５】
【発明の効果】
以上のように本発明によれば、使用部品数が少なくスイッチ組立て作業が容易で安価なプッシュスイッチを得ることができるという有利な効果が得られる。
【図面の簡単な説明】
【図１】本発明の第１の実施の形態によるプッシュスイッチの断面図
【図２】同分解斜視図
【図３】同動作状態を示す断面図
【図４】同他の実施の形態を示す断面図
【図５】本発明の第２の実施の形態によるプッシュスイッチの断面図
【図６】同分解斜視図
【図７】従来のプッシュスイッチの断面図
【図８】同分解斜視図
【図９】同動作状態を示す断面図
【符号の説明】
１  端子板
２  固定接点
３  ケース
４  ハートカム溝
５  つまみ
７  操作用ばね
８  ストッパ
８Ａ  折曲部
８Ｂ  先端部
８Ｃ  中間部
１２  スライダー
１２Ａ  保持孔
１２Ｂ，１２Ｃ  収納孔
１３  接触片
１３Ａ  可動接点部
１３Ｂ，１３Ｃ，１３Ｄ  板ばね部
【図１】
0003885286.tif 000002
【図２】
0003885286.tif 000003
【図３】
0003885286.tif 000004
【図４】
0003885286.tif 000005
【図５】
0003885286.tif 000006
【図６】
0003885286.tif 000007
【図７】
0003885286.tif 000008
【図８】
0003885286.tif 000009
【図９】
0003885286.tif 000010